(57)【要約】【課題】携帯端末装置に保有されている宛先情報を、簡単な操作で画像処理装置に転送することができる宛先情報転送システム等を提供する。【解決手段】相互に接続可能な画像処理装置２と携帯端末装置１とを備える。携帯端末装置１は、第１のアプリケーションによる画像処理装置２との接続時に、複数の宛先名を示す情報と各宛先名に対応する連絡先を示す情報を含む宛先情報を管理する第２のアプリケーションを起動する。起動後、第１のアプリケーションに基づいて宛先情報を取得し、画像処理装置２に送信する。画像処理装置２は、携帯端末１からの宛先情報を受信するとともに、表示手段２６０に表示可能な形式に変換して表示する。【選択図】  図８
2016021614.tif 000002
【特許請求の範囲】
【請求項１】
相互に接続可能な画像処理装置と携帯端末装置とを備えた宛先情報転送システムであって、
前記携帯端末装置は、
前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携手段と、
前記第２のアプリケーションの起動後、前記第１のアプリケーションに基づいて前記宛先情報を取得する宛先情報取得手段と、
前記第１のアプリケーションに基づいて、前記宛先情報取得手段により取得した宛先情報を、前記画像処理装置に送信する送信手段と、
を備え、
前記画像処理装置は、
前記携帯端末装置から送信される前記宛先情報を受信する受信手段と、
表示手段と、
前記受信手段により受信した宛先情報を、前記表示手段に表示可能な形式に変換して表示する表示制御手段と、
を備えたことを特徴とする宛先情報転送システム。
【請求項２】
前記携帯端末装置は、前記宛先情報を表示する表示手段と、該表示手段に宛先名の一覧が表示されているか特定の宛先名に対応する連絡先が表示されているかを判定する判定手段と、をさらに備え、
前記判定手段により、前記表示手段に宛先名の一覧が表示されていると判定された場合は、前記宛先名の一覧を示す情報を取得して前記画像処理装置に送信し、特定の宛先名に対応する連絡先が表示されていると判定された場合は、前記連絡先を示す情報を取得して前記画像処理装置に送信し、
前記画像処理装置は、宛先名の一覧を示す情報を受信したときは宛先名の一覧を前記表示手段に表示し、連絡先を示す情報を受信したときは連絡先を前記表示手段に表示する請求項１に記載の宛先情報転送システム。
【請求項３】
前記画像処理装置は、前記表示手段に表示された宛先名の一覧の中から、ユーザーの選択操作に基づいていずれかの宛先名を選択する選択手段と、前記選択手段により選択された宛先名に対応する連絡先を示す情報の取得を前記携帯端末装置に要求する要求手段と、をさらに備え、
前記携帯端末装置は、前記連絡先を示す情報の取得要求を受信したときは、前記連絡先を示す情報を取得して前記画像処理装置に送信し、
前記画像処理装置は、前記携帯端末装置から送信された前記連絡先を示す情報で示される連絡先を前記表示手段に表示する請求項２に記載の宛先情報転送システム。
【請求項４】
前記画像処理装置は、前記携帯端末装置から受信した前記宛先名の一覧を示す情報と連絡先を示す情報とを保存する保存手段を備え、
前記画像処理装置の表示制御手段は、前記保存手段に保存された宛先名の一覧を示す情報と連絡先を示す情報とに基づいて、宛先名の一覧と特定の宛先名に対応する連絡先とを切り替え可能に前記表示手段に表示する請求項３に記載の宛先情報転送システム。
【請求項５】
相互に接続可能な画像処理装置と携帯端末装置とを備えた宛先情報転送システムで実行される宛先情報転送方法であって、
前記携帯端末装置は、
前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携ステップと、
前記第２のアプリケーションの起動後、前記第１のアプリケーションに基づいて前記宛先情報を取得する宛先情報取得ステップと、
前記第１のアプリケーションに基づいて、前記宛先情報取得手段により取得した宛先情報を、前記画像処理装置に送信する送信ステップと、
を実行し、
前記画像処理装置は、
前記携帯端末装置から送信される前記宛先情報を受信する受信ステップと、
前記受信ステップにより受信した宛先情報を、表示手段に表示可能な形式に変換して表示する表示制御ステップと、
を実行することを特徴とする宛先情報転送方法。
【請求項６】
画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携手段と、
前記第２のアプリケーションの起動後、前記第１のアプリケーションに基づいて前記宛先情報を取得する宛先情報取得手段と、
前記第１のアプリケーションに基づいて、前記宛先情報取得手段により取得した宛先情報を、前記画像処理装置に送信する送信手段と、
を備えたことを特徴とする携帯端末装置。
【請求項７】
前記宛先情報を表示する表示手段と、該表示手段に宛先名の一覧が表示されているか特定の宛先名に対応する連絡先が表示されているかを判定する判定手段と、をさらに備え、
前記宛先情報取得手段は、前記判定手段により前記表示手段に宛先名の一覧が表示されていると判定された場合は、前記宛先名の一覧を示す情報を取得し、特定の宛先名に対応する連絡先が表示されていると判定された場合は、前記連絡先を示す情報を取得する請求項６に記載の携帯端末装置。
【請求項８】
前記宛先情報取得手段により前記宛先名の一覧を示す情報が取得され、前記送信手段により前記宛先名の一覧を示す情報が前記画像処理装置に送信されたのち、前記画像処理装置からなされたいずれかの宛先名に対応する連絡先を示す情報の取得要求を受信する受信手段をさらに備え、
前記受信手段により前記連絡先を示す情報の取得要求を受信したときは、前記宛先情報取得手段は前記第２のアプリケーションから前記連絡先を示す情報を取得し、前記送信手段は、前記取得された前記連絡先を示す情報を前記画像処理装置に送信する請求項７に記載の携帯端末装置。
【請求項９】
前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携ステップと、
前記第２のアプリケーションの起動後、前記第１のアプリケーションに基づいて前記宛先情報を取得する宛先情報取得ステップと、
前記第１のアプリケーションに基づいて、前記宛先情報取得ステップにより取得した宛先情報を、前記画像処理装置に送信する送信ステップと、
を、携帯端末装置のコンピュータに実行させるための宛先情報転送プログラム。
【請求項１０】
前記携帯端末装置は前記宛先情報を表示する表示手段を備え、
前記表示手段に宛先名の一覧が表示されているか特定の宛先名に対応する連絡先が表示されているかを判定する判定ステップを、前記コンピュータにさらに実行させ、
前記宛先情報取得ステップでは、前記判定ステップにより前記表示手段に宛先名の一覧が表示されていると判定された場合は、前記宛先名の一覧を示す情報を取得し、特定の宛先名に対応する連絡先が表示されていると判定された場合は、前記連絡先を示す情報を取得する処理を前記コンピュータにさらに実行させる請求項９に記載の宛先情報転送プログラム。
【請求項１１】
前記宛先情報取得ステップにより前記宛先名の一覧を示す情報を取得し、前記送信ステップにより前記宛先名の一覧を示す情報を前記画像処理装置に送信する処理を前記コンピュータに実行させたのち、前記画像処理装置からなされたいずれかの宛先名に対応する連絡先を示す情報の取得要求を受信する受信ステップを、前記コンピュータにさらに実行させ、
前記受信ステップにより前記連絡先を示す情報の取得要求を受信したときは、前記宛先情報取得手段は前記第２のアプリケーションから前記連絡先を示す情報を取得し、前記送信ステップでは、前記取得された前記連絡先を示す情報を前記画像処理装置に送信する処理を、前記コンピュータにさらに実行させる請求項１０に記載の宛先情報転送プログラム。
【発明の詳細な説明】
【技術分野】
【０００１】
この発明は、プリンタ機能、ファクシミリ機能、スキャン機能等の機能を備えた多機能デジタル画像形成装置であるＭＦＰ（Multi Function Peripherals）等の画像処理装置と、スマートフォンやタブレット端末等の携帯端末装置を備えた宛先情報転送システム、同システムで実行される宛先情報転送方法、携帯端末装置及び宛先情報転送プログラムに関する。
【背景技術】
【０００２】
上述したような画像処理装置と接続するためのアプリケーションを携帯端末装置にインストールし、携帯端末装置から画像処理装置を操作したり、携帯端末装置側のデータを画像処理装置に処理させるといったネットワークシステムが昨今提供されている。
【０００３】
このようなシステムの利用中に、ユーザーは携帯端末装置に保有されている宛先情報を画像処理装置に取り込みたい場合がある。これを実現するために、従来、専用のアプリケーションを作成し携帯端末装置にインストールするとともに、画像処理装置と携帯端末装置を接続させた後に、ユーザーが特定の宛先情報を選択し、さらにジェスチャ操作等により画像処理装置へ送信指示を行うことで、携帯端末装置側の宛先情報を画像処理装置に転送する技術が知られている。
【０００４】
例えば、特許文献１には、画像処理装置を制御するためのアプリケーションを用い、ユーザー操作に基づいて、送信先情報と付加情報（電子メールやファクシミリに添付する情報）を画像処理装置に送信するシステムが提案されている。
【先行技術文献】
【特許文献】
【０００５】
【特許文献１】特開２００９−１７７６２６号公報
【発明の概要】
【発明が解決しようとする課題】
【０００６】
しかしながら、上記従来の技術では、宛先情報の送信のために専用に作成されたアプリケーション上で特定の宛先情報を選択する操作や、画像処理装置への送信を指示する操作が必要であった。
【０００７】
このため、ユーザーはまず携帯端末装置側で選択操作や送信操作を行い、次いで画像処理装置に送信され操作パネルに表示された宛先情報を確認する作業を行うため、携帯端末装置と画像処理装置との間で視線の頻繁な移動が発生してしまうとともに、操作回数が多くなり、使い勝手が良くないという問題があった。
【０００８】
つまり、ユーザーは携帯端末装置上で任意の宛先を選択し、画像処理装置への送信指示を行ったのち、画像処理装置の操作パネルを確認して、宛先情報が画像処理装置に確実に転送されているかどうかを調べるという作業を、１つの宛先情報の送信のたびに行うことになり、使い勝手が良くなかった。
【０００９】
この発明は、このような技術的背景に鑑みてなされたものであって、携帯端末装置に保有されている宛先情報を、簡単な操作で画像処理装置に転送することができる宛先情報転送システムと宛先情報転送方法を提供し、さらには携帯端末装置及び宛先情報転送プログラムを提供することを課題とする。
【課題を解決するための手段】
【００１０】
上記課題は、以下の手段によって解決される。
（１）相互に接続可能な画像処理装置と携帯端末装置とを備えた宛先情報転送システムであって、前記携帯端末装置は、前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携手段と、前記第２のアプリケーションの起動後、前記第１のアプリケーションに基づいて前記宛先情報を取得する宛先情報取得手段と、前記第１のアプリケーションに基づいて、前記宛先情報取得手段により取得した宛先情報を、前記画像処理装置に送信する送信手段と、を備え、前記画像処理装置は、前記携帯端末装置から送信される前記宛先情報を受信する受信手段と、表示手段と、前記受信手段により受信した宛先情報を、前記表示手段に表示可能な形式に変換して表示する表示制御手段と、を備えたことを特徴とする宛先情報転送システム。
（２）前記携帯端末装置は、前記宛先情報を表示する表示手段と、該表示手段に宛先名の一覧が表示されているか特定の宛先名に対応する連絡先が表示されているかを判定する判定手段と、をさらに備え、前記判定手段により、前記表示手段に宛先名の一覧が表示されていると判定された場合は、前記宛先名の一覧を示す情報を取得して前記画像処理装置に送信し、特定の宛先名に対応する連絡先が表示されていると判定された場合は、前記連絡先を示す情報を取得して前記画像処理装置に送信し、前記画像処理装置は、宛先名の一覧を示す情報を受信したときは宛先名の一覧を前記表示手段に表示し、連絡先を示す情報を受信したときは連絡先を前記表示手段に表示する前項１に記載の宛先情報転送システム。
（３）前記画像処理装置は、前記表示手段に表示された宛先名の一覧の中から、ユーザーの選択操作に基づいていずれかの宛先名を選択する選択手段と、前記選択手段により選択された宛先名に対応する連絡先を示す情報の取得を前記携帯端末装置に要求する要求手段と、をさらに備え、前記携帯端末装置は、前記連絡先を示す情報の取得要求を受信したときは、前記連絡先を示す情報を取得して前記画像処理装置に送信し、前記画像処理装置は、前記携帯端末装置から送信された前記連絡先を示す情報で示される連絡先を前記表示手段に表示する前項２に記載の宛先情報転送システム。
（４）前記画像処理装置は、前記携帯端末装置から受信した前記宛先名の一覧を示す情報と連絡先を示す情報とを保存する保存手段を備え、前記画像処理装置の表示制御手段は、前記保存手段に保存された宛先名の一覧を示す情報と連絡先を示す情報とに基づいて、宛先名の一覧と特定の宛先名に対応する連絡先とを切り替え可能に前記表示手段に表示する前項３に記載の宛先情報転送システム。
（５）相互に接続可能な画像処理装置と携帯端末装置とを備えた宛先情報転送システムで実行される宛先情報転送方法であって、前記携帯端末装置は、前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携ステップと、前記第２のアプリケーションの起動後、前記第１のアプリケーションに基づいて前記宛先情報を取得する宛先情報取得ステップと、前記第１のアプリケーションに基づいて、前記宛先情報取得手段により取得した宛先情報を、前記画像処理装置に送信する送信ステップと、を実行し、前記画像処理装置は、前記携帯端末装置から送信される前記宛先情報を受信する受信ステップと、前記受信ステップにより受信した宛先情報を、表示手段に表示可能な形式に変換して表示する表示制御ステップと、を実行することを特徴とする宛先情報転送方法。
（６）画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携手段と、前記第２のアプリケーションの起動後、前記第１のアプリケーションに基づいて前記宛先情報を取得する宛先情報取得手段と、前記第１のアプリケーションに基づいて、前記宛先情報取得手段により取得した宛先情報を、前記画像処理装置に送信する送信手段と、を備えたことを特徴とする携帯端末装置。
（７）前記宛先情報を表示する表示手段と、該表示手段に宛先名の一覧が表示されているか特定の宛先名に対応する連絡先が表示されているかを判定する判定手段と、をさらに備え、前記宛先情報取得手段は、前記判定手段により前記表示手段に宛先名の一覧が表示されていると判定された場合は、前記宛先名の一覧を示す情報を取得し、特定の宛先名に対応する連絡先が表示されていると判定された場合は、前記連絡先を示す情報を取得する前項６に記載の携帯端末装置。
（８）前記宛先情報取得手段により前記宛先名の一覧を示す情報が取得され、前記送信手段により前記宛先名の一覧を示す情報が前記画像処理装置に送信されたのち、前記画像処理装置からなされたいずれかの宛先名に対応する連絡先を示す情報の取得要求を受信する受信手段をさらに備え、前記受信手段により前記連絡先を示す情報の取得要求を受信したときは、前記宛先情報取得手段は前記第２のアプリケーションから前記連絡先を示す情報を取得し、前記送信手段は、前記取得された前記連絡先を示す情報を前記画像処理装置に送信する前項７に記載の携帯端末装置。
（９）前記画像処理装置と接続するための第１のアプリケーションによる前記画像処理装置との接続時に、複数の宛先名を示す情報と各宛先名に対応する連絡先を示す情報を含む宛先情報を管理する第２のアプリケーションを起動する連携ステップと、前記第２のアプリケーションの起動後、前記第１のアプリケーションに基づいて前記宛先情報を取得する宛先情報取得ステップと、前記第１のアプリケーションに基づいて、前記宛先情報取得ステップにより取得した宛先情報を、前記画像処理装置に送信する送信ステップと、を、携帯端末装置のコンピュータに実行させるための宛先情報転送プログラム。
（１０）前記携帯端末装置は前記宛先情報を表示する表示手段を備え、前記表示手段に宛先名の一覧が表示されているか特定の宛先名に対応する連絡先が表示されているかを判定する判定ステップを、前記コンピュータにさらに実行させ、前記宛先情報取得ステップでは、前記判定ステップにより前記表示手段に宛先名の一覧が表示されていると判定された場合は、前記宛先名の一覧を示す情報を取得し、特定の宛先名に対応する連絡先が表示されていると判定された場合は、前記連絡先を示す情報を取得する処理を前記コンピュータにさらに実行させる前項９に記載の宛先情報転送プログラム。
（１１）前記宛先情報取得ステップにより前記宛先名の一覧を示す情報を取得し、前記送信ステップにより前記宛先名の一覧を示す情報を前記画像処理装置に送信する処理を前記コンピュータに実行させたのち、前記画像処理装置からなされたいずれかの宛先名に対応する連絡先を示す情報の取得要求を受信する受信ステップを、前記コンピュータにさらに実行させ、前記受信ステップにより前記連絡先を示す情報の取得要求を受信したときは、前記宛先情報取得手段は前記第２のアプリケーションから前記連絡先を示す情報を取得し、前記送信ステップでは、前記取得された前記連絡先を示す情報を前記画像処理装置に送信する処理を、前記コンピュータにさらに実行させる前項１０に記載の宛先情報転送プログラム。
【発明の効果】
【００１１】
前項（１）に記載の発明によれば、ユーザーが携帯端末装置を第１のアプリケーションにより画像処理装置と接続すると、複数の宛先名を示す情報と各宛先名に対応する連絡先を示す情報を含む宛先情報を管理する第２のアプリケーションが起動し、携帯端末装置は第１のアプリケーションに基づいて前記宛先情報を取得し、取得した宛先情報を画像処理装置に送信する。一方、画像処理装置は、携帯端末装置から送信された宛先情報を受信して、表示手段に表示可能な形式に変換して表示する。
【００１２】
つまり、ユーザーが携帯端末装置と画像処理装置を接続すれば、携帯端末装置が保有する宛先情報が自動的に画像処理装置に転送され表示手段に表示されるから、ユーザーが携帯端末装置上で任意の宛先を選択したり画像処理装置への送信指示を行わなくても、携帯端末装置側の宛先情報を画像処理装置に転送できる。このため、携帯端末装置と画像処理装置との間で頻繁な視線の移動が発生することがないうえ操作回数も少なくてすみ、使い勝手が良くなる。
【００１３】
前項（２）に記載の発明によれば、携帯端末装置の表示手段の表示内容に応じて、宛先名の一覧や特定の宛先名に対応する連絡先を示す情報が取得されて画像処理装置に転送され、画像処理装置では、宛先名の一覧や連絡先が表示手段に自動的に表示される。
【００１４】
前項（３）に記載の発明によれば、画像処理装置の表示手段に表示された宛先名の一覧の中から、ユーザーがいずれかの宛先名を選択すると、選択された宛先名に対応する連絡先が自動的に画像処理装置の表示手段に表示されるから、ますます使い勝手が良くなる。
【００１５】
前項（４）に記載の発明によれば、画像処理装置は、携帯端末装置から受信した宛先名の一覧を示す情報と連絡先を示す情報とを保存手段に保存しておき、保存された宛先名の一覧を示す情報と連絡先を示す情報とに基づいて、宛先名の一覧と特定の宛先名に対応する連絡先とを切り替えて表示できるから、一旦保存された宛先名の一覧を示す情報や連絡先を示す情報を携帯端末装置から再度取得する必要はない。
【００１６】
前項（５）に記載の発明によれば、ユーザーが携帯端末装置と画像処理装置を接続すれば、携帯端末装置が保有する宛先情報が自動的に画像処理装置に転送され表示手段に表示されるから、ユーザーが携帯端末装置上で任意の宛先を選択したり画像処理装置への送信指示を行わなくても、携帯端末装置側の宛先情報を画像処理装置に転送できる。このため、携帯端末装置と画像処理装置との間で頻繁な視線の移動が発生することがないうえ操作回数も少なくてすみ、使い勝手が良くなる。
【００１７】
前項（６）に記載の発明によれば、ユーザーが任意の宛先を選択したり画像処理装置への送信指示を行わなくても、携帯端末装置側の宛先情報を画像処理装置に転送できる。このため、画像処理装置との間で頻繁な視線の移動が発生することがないうえ操作回数も少なくてすみ、使い勝手の良い携帯端末装置となる。
【００１８】
前項（７）に記載の発明によれば、表示手段の表示内容に応じて、宛先名の一覧や特定の宛先名に対応する連絡先を示す情報を自動的に取得して画像処理装置に送信可能な携帯端末装置となる。
【００１９】
前項（８）に記載の発明によれば、画像処理装置において表示された宛先名の一覧の中からユーザーがいずれかの宛先名を選択すると、選択された宛先名に対応する連絡先を取得して画像処理装置に送信する携帯端末装置となる。
【００２０】
前項（９）に記載の発明によれば、ユーザーが携帯端末装置を画像処理装置と接続すれば、携帯端末装置が保有する宛先情報を自動的に画像処理装置に送信する処理を、携帯端末装置のコンピュータに実行させることができる。
【００２１】
前項（１０）に記載の発明によれば、表示手段の表示内容に応じて、宛先名の一覧や特定の宛先名に対応する連絡先を示す情報を自動的に取得して画像処理装置に送信する処理を、携帯端末装置のコンピュータにさらに実行させることができる。
【００２２】
前項（１１）に記載の発明によれば、画像処理装置において表示された宛先名の一覧の中からユーザーによりいずれかの宛先名が選択されると、選択された宛先名に対応する連絡先を取得して画像処理装置に送信する処理を、携帯端末装置のコンピュータに実行させることができる。
【図面の簡単な説明】
【００２３】
【図１】この発明の一実施形態に係る宛先情報転送システムの構成図である。
【図２】携帯端末装置の構成を示すブロック図である。
【図３】画像処理装置の要部のブロック図である。
【図４】携帯端末装置の制御構成及び画像処理装置の本体システム制御部の構成を示す機能ブロック図である。
【図５】（Ａ）は携帯端末装置に表示されるホーム画面の概略図、（Ｂ）はユーザーが連絡帳アプリを起動した場合に遷移する画面を示す図、（Ｃ）はＭＦＰ端末接続用アプリを起動した場合に遷移する画面を示す図である。
【図６】（Ａ）は、携帯端末装置に表示された宛先名の一覧リストの中から、ユーザーが特定の宛先名を選択する様子を示す図、（Ｂ）は選択した宛先名に対応する詳細な連絡先の表示画面を示す図である。
【図７】（Ａ）はＭＦＰ端末接続用アプリを起動した状態で、ユーザーが連絡帳アプリを起動する様子を示す図、（Ｂ）は連絡帳アプリを起動したときに表示される宛先名の一覧をリスト形式で表示した画面を示す図、（Ｃ）はユーザーが宛先名の一覧の中から特定の宛先名を選択したときに表示される連絡先の表示画面を示す図である。
【図８】（Ａ）〜（Ｆ）はインテント連携時に携帯端末装置と画像処理装置の間で行われる宛先情報の転送処理を説明するための図である。
【図９】ＭＦＰ端末接続用アプリから連絡帳アプリの起動を行い、宛先情報の取得を行う際の手順を説明するための図である。
【図１０】ＭＦＰ端末接続用アプリが宛先情報を取得する際の手順を、より詳しく説明するための図である。
【図１１】ＭＦＰ端末接続用アプリが宛先情報を取得する際の別の手順を説明するための図である。
【図１２】携帯端末装置の動作を示すフローチャートである。
【図１３】画像処理装置の動作を示すフローチャートである。
【図１４】画像処理装置の表示手段に、宛先名の一覧がリスト形式で表示されている状態で、ユーザーがいずれかの宛先名を選択したときの画像処理装置及び携帯端末装置の動作を示すフローチャートである。
【発明を実施するための形態】
【００２４】
以下、この発明の実施形態を図面に基づいて説明する。
【００２５】
図１は、この発明の一実施形態に係る宛先情報転送システムの構成図である。
【００２６】
この宛先情報転送システムは、スマートフォンやタブレット端末等からなる携帯端末装置１と画像処理装置２を備え、これらの携帯端末装置１と画像処理装置２は、無線ＬＡＮルータ３、ネットワーク４を介して相互に接続可能となされている。なお、携帯端末装置１と画像処理装置２は近距離無線通信により直接に接続される構成であってもよい。符号５はネットワーク４に接続されたパーソナルコンピュータである。
【００２７】
この実施形態では、画像処理装置２としてコピー機能、プリント機能、スキャン機能、ファクシミリ機能等を備えた前述のＭＦＰが用いられている。以下、画像処理装置をＭＦＰとも記す。また、携帯端末装置を携帯端末または単に端末とも記す。
【００２８】
図２は、前記携帯端末１の構成を示すブロック図である。
【００２９】
携帯端末１は、ＣＰＵ１１と、ＲＯＭ１２と、ＲＡＭ１３と、記憶部１４と、表示部１５と、タッチパネル１６と、通信インターフェース（通信ＩＦ）１７と、カメラ１８等を備えている。
【００３０】
前記ＣＰＵ１１は、オペレーティングシステム（単にＯＳともいう）、ＭＦＰ２と接続するためのアプリケーション（単にアプリともいう）、ユーザーにより設定された宛先情報を管理する連絡帳としての機能を有する連絡帳アプリ、その他各種のアプリ等に基づいて、携帯端末１の全体を統括的に制御するが、具体的な制御内容については後述する。
【００３１】
前記ＲＯＭ１２は、前記ＣＰＵ１１の動作プログラム等が格納されているメモリであり、ＲＡＭ１３は、前記ＣＰＵ１１が動作プログラムを実行する際の作業領域を提供するメモリである。
【００３２】
前記記憶部１４は、前記ＯＳ、アプリ、宛先情等を保存するメモリである。
【００３３】
表示部１５は、ウェブページの画像またはカメラ撮影画像等の各種の画像、ユーザーに対する操作画面、メッセージ等を表示したり、ユーザー操作に使用されるものであり、液晶等の表示デバイスにより構成されている。また、タッチパネル１６は表示部１５の画面上に設けられ、ユーザーのジェスチャ操作を含むタッチ操作を検出して、タッチされた座標等を特定するものである。
【００３４】
前記通信インターフェース１７は、電話回線を通じて通話を行ったり、アクセスポイントを介して無線通信によりＭＦＰ２等とデータの送受を行うためのものである。前記カメラ１８は、各種の被写体を撮影するものである。
【００３５】
図３はＭＦＰ２の要部を示すブロック図である。図３に示すように、ＭＦＰ２はＭＦＰ本体システム制御部２００、パネルＣＰＵ２１０、ＲＯＭ２２０、ＲＡＭ２３０、LCD制御部２４０、ＶＲＡＭ２５０、ＬＣＤパネル部２６０、ハードキー操作部２７０、入出力制御部２８０及び接続部２９０を備えている。
【００３６】
ＭＦＰ本体システム制御部２００はＭＦＰ２の全体を統括制御するものであり、ユーザ操作に基づいて、コピー機能、プリント機能、ファクシミリ機能、スキャン機能等の各種機能を実行する。
【００３７】
パネルＣＰＵ２１０は、システム制御部２００と通信を行いながら、操作系全体の制御を行うものである。ＲＯＭ２２０は、パネルＣＰＵ２１０が実行する動作プログラムや、ＬＣＤパネル部２６０に表示される画面データを含む表示画像データ等を記憶している。また、ＲＡＭ２３０は、パネルＣＰＵ２１０がＲＯＭ２２０に格納されている動作プログラムに従って動作する際の作業領域を提供する。
【００３８】
ＬＣＤ制御部２４０は、ＶＲＡＭ２５０のリードライト制御を行い、ＬＣＤパネル部２６０の表示制御を行っている。具体的には、ＲＯＭ２２０に記憶された画像データを、パネルＣＰＵ２１０の指示に基づいてＶＲＡＭ２５０に記憶させた後、それを読み出してＬＣＤパネル部２６０に出力し表示させる。
【００３９】
ＬＣＤパネル部２６０は、液晶（ＬＣＤ）タッチパネルからなる表示装置であり、各種の画面やメッセージ等を表示する。
【００４０】
ハードキー操作部２７０は、スタートキー、テンキー、パネルリセットキー等で構成される複数のハードキーや、ＭＦＰ２の状態を示すＬＥＤや、ハードキーまたはＬＣＤパネル部２６０で入出力が行われた旨をユーザに通知するためのブザー等から構成されている。
【００４１】
入出力制御部２８０は、ＬＣＤパネル部２６０をユーザが直接タッチしたときに、タッチされたことを検出してそのタッチ位置を判断し、画面に表示された機能項目のうちどの機能項目が選択されたか等をパネルＣＰＵ２１０に通知し、機能設定等の入出力制御を行う。また、入出力制御部２８０はハードキー操作部２７０を制御し、必要に応じてパネルＣＰＵ２１０を介してＭＦＰ本体システム制御部２００との通信を行う。
【００４２】
なお、ＭＦＰ２においては、ハードキー操作部２７０内のスタートキーが押下されると、その旨が入出力制御部２８０、パネルＣＰＵ２１０を介してＭＦＰ本体システム制御部２００に送信され、一連の複写動作が開始される。
【００４３】
接続部２９０は、携帯端末１との接続を行うためのインターフェースである。携帯端末１との接続により双方向のデータ通信が可能となる。
【００４４】
図４は、携帯端末１の制御構成及びＭＦＰ２のＭＦＰ本体システム制御部２００の構成を示す機能ブロック図である。
【００４５】
携帯端末１は、機能的に、ＭＦＰ接続制御部１０１と、他アプリ立ち上げ制御部１０２と、他アプリ宛先情報取得部１０３と、宛先情報送受信部１０４を備え、これらの機能は、携帯端末１のＣＰＵ１１が、携帯端末１とＭＦＰ２を接続するためのＭＦＰ端末接続用アプリ（以下、単に接続アプリともいう）と、携帯端末１のＯＳ１０５とに従って動作することにより実現される。
【００４６】
ＭＦＰ接続制御部１０１は、ＭＦＰ２のＩＰアドレスを指定することにより、携帯端末１とＭＦＰ２との間での接続を確立する。他アプリ立ち上げ制御部１０２は、携帯端末１とＭＦＰ２とが接続された状態で、別の汎用アプリを起動させるものである。ここで、あるアプリ上で別のアプリを起動させ、別のアプリの機能を利用することをインテント連携と呼ぶ。この実施形態では、起動される別のアプリは宛先情報を管理する連絡帳アプリである。
【００４７】
他アプリ宛先情報取得部１０３は、連絡帳アプリを起動させた状態で、前記連絡帳アプリが管理する宛先情報を取得する。この構成により、インテント連携で起動した連絡帳アプリが管理する宛先情報を取得することが可能となる。ここで、宛先情報には、単に宛先名を示す情報の他に、各宛先名に対応する電話番号やファクシミリ番号やメールアドレス等の具体的な連絡先を示す情報である連絡先情報が含まれる。
【００４８】
宛先情報送受信部１０４は、取得した宛先情報をＭＦＰ２へ送信する。
【００４９】
なお、携帯端末１とＭＦＰ２との接続、インテント連携、宛先情報の取得、ＭＦＰ２への送信は、ＯＳ１０５が提供するＡＰＩを用いて実行する。
【００５０】
一方、ＭＦＰ本体システム制御部２００は機能的に、端末接続制御部２０１と、宛先情報送受信部２０２と、宛先情報変換部２０３と、宛先情報表示制御部２０４と、宛先名選択制御部２０５と、宛先情報要求制御部２０６を備えている。
【００５１】
端末接続制御部２０１は接続部２９０を制御してＭＦＰ２を携帯端末１と接続させるものであり、宛先情報送受信部２０２は、携帯端末１から送信される宛先情報を受信したり、宛先情報要求制御部２０６で生成された連絡先情報の取得要求を携帯端末１に送信する。
【００５２】
宛先情報変換部２０３は、宛先情報送受信部２０２で受信した宛先情報を、ＬＣＤパネル部２６０で描画可能なように、ラスタライズ処理したりフォントデータヘの変換等を行う。宛先情報表示制御部２０４は、宛先情報変換部２０３で変換された宛先情報をＬＣＤパネル部２６０へ表示させるための制御を行う。
【００５３】
宛先名選択制御部２０５は、ＬＣＤパネル部２６０へ宛先名の一覧がリスト形式で表示された状態で、ユーザーがいずれかの宛先名を選択したときに、これを受け付けて選択された宛先名を特定したり、宛先名や該宛先名に対応する連絡先情報をメモリに記憶する等の処理を実行する。
【００５４】
宛先情報要求制御部２０６は、ユーザーによって選択され宛先名選択制御部２０５で特定された宛先名に対応する詳細な連絡先情報の取得要求を、宛先情報送受信部２０２を介して携帯端末１に行う。例えば、宛先名「Ａさん」の連絡先情報の取得要求を行った場合は、携帯端末１において宛先名「Ａさん」に関連付けて登録されている電話番号、ファクシミリ番号、電子メールアドレス等の詳細な連絡先情報が、携帯端末１から送信される。
【００５５】
図５（Ａ）は、携帯端末１の表示部１５に表示されるホーム画面Ｄ１の概略図を示すものである。携帯端末１内には、汎用の連絡帳アプリや接続アプリ等がインストールされ、ホーム画面Ｄ１では、それぞれのアプリを示すアイコン１５１、１５２等が表示されている。
【００５６】
ここで、ユーザーが連絡帳アプリのアイコン１５２をタッチして連絡帳アプリを起動した場合は、図５（Ｃ）の画面Ｄ３に遷移し、携帯端末１上に登録されている宛先情報として、宛先名一覧がリスト形式で表示される。この画面Ｄ３において、図６（Ａ）に示すように、ユーザーが宛先名一覧の中から特定の宛先名を選択すると、図６（Ｂ）に示すように、選択した宛先名に対応するの詳細な連絡先情報(電話番号、ファクシミリ番号、電子メールアドレス等)の表示画面Ｄ４に切り替わり、ユーザーはこの連絡先情報を確認することができる。
【００５７】
一方、図５（Ａ）のホーム画面Ｄ１において、接続アプリのアイコン１５１をタッチしてこのアプリを起動した場合は、ＭＦＰ２と携帯端末１が接続され、表示部１５の画面は図５（Ｂ）の接続中であることを示す画面Ｄ２に遷移する。この画面Ｄ２には、ＭＦＰ１を操作するための画面操作ボタン１５４と、連絡帳アプリを起動しインテント連携を可能とするための連絡帳アプリ連携ボタン１５３が表示されている。
【００５８】
前記画面Ｄ２において、図７（Ａ）に示すように、ユーザーが連絡帳アプリ連携ボタン１５３をタッチすることにより、接続アプリから連絡帳アプリを起動することができる(インテント連携)。つまり、接続アプリから連絡帳アプリを起動すると、図６で説明した連絡帳アプリを単独で起動させた場合と同様に、図７（Ｂ）に示すように宛先名一覧がリスト形式で表示された画面Ｄ５が表示される。さらにこの画面Ｄ５において、ユーザーが宛先名一覧の中から特定の宛先名を選択すると、図７（Ｃ）に示すように、選択した宛先名に対応する連絡先情報の表示画面Ｄ６に遷移する。
【００５９】
しかも、表示部１５に表示されている宛先名一覧を示す情報や連絡先情報を、接続アプリが自動的に取得するとともに、取得した情報をＭＦＰ２に送信するようになっている。
【００６０】
図８は、インテント連携時に携帯端末１とＭＦＰ２の間で行われる宛先情報の転送処理を説明するための図である。
【００６１】
携帯端末１の接続アプリを起動すると、ＭＦＰ２と携帯端末１が接続され（図８の丸数字１）、同図（Ｂ）に示すように、携帯端末１の表示部１５には画面操作ボタン１５４と連絡帳アプリ連携ボタン１５３を有する画面Ｄ２が表示される。なお、ＭＦＰ１のＬＣＤパネル部２６０には、同図（Ａ）に示すように、携帯端末１との接続時に表示されていた画面がそのまま表示される。
【００６２】
携帯端末１の画面Ｄ２において、ユーザーが連絡帳アプリ連携ボタン１５３をタッチすると、接続アプリ上で連絡帳アプリが起動され（図８の丸数字２）、図８（Ｃ）に示すように宛先名の一覧をリスト形式で表示した画面Ｄ５が表示される。さらにこの画面Ｄ５において、ユーザーが宛先名の一覧の中から特定の宛先名を選択すると、図８（Ｄ）に示すように、選択した宛先名に対応する詳細な連絡先情報の表示画面Ｄ６に遷移する。
【００６３】
携帯端末１の接続アプリは、インテント連携を利用して、表示部１５に表示されている宛先情報を連絡帳アプリから取得する。すなわち、図８（Ｃ）のように、宛先名の一覧がリスト形式で表示されている場合は、宛先名の一覧情報を取得する。取得した宛先名一覧情報は接続アプリによりＭＦＰ２に送信される（図８の丸数字３）。
【００６４】
ＭＦＰ２は、宛先名の一覧情報を受信したのち、ＬＣＤパネル部２６０で表示可能なデータ形式へ変換し、図８（Ｅ）の画面Ｄ７に示すように、ＬＣＤパネル部２６０に現在表示されている画面の一部に、宛先名の一覧をリスト形式で表示する（図８の丸数字４）。
【００６５】
一方、図８（Ｄ）のように、表示部１５に特定の宛先名についての具体的な連絡先が表示されている場合は、宛先名に関連付けて登録されている連絡先情報を取得する。取得した連絡先情報は接続アプリによりＭＦＰ２に送信される（図８の丸数字５）。
【００６６】
ＭＦＰ２は、連絡先情報を受信したのち、ＬＣＤパネル部２６０で表示可能なデータ形式へ変換し、図８（Ｆ）の画面Ｄ８に示すように、ＬＣＤパネル部２６０に現在表示されている画面の一部に、連絡先を表示する（図８の丸数字６）。
【００６７】
このように、この実施形態では、ユーザーが携帯端末１とＭＦＰ２を接続すれば、携帯端末１が保有する宛先情報が自動的にＭＦＰ２に転送されＬＣＤパネル部２６０に表示される。具体的には、携帯端末１の表示部１５に宛先名の一覧が表示されているときは、ＭＦＰ２のＬＣＤパネル部２６０にも宛先名の一覧が表示され、連絡先が表示されているときはＬＣＤパネル部２６０にも連絡先が表示されるから、ユーザーは携帯端末１上で任意の宛先を選択したりＭＦＰ２への送信指示を行わなくても、携帯端末１側の宛先情報である宛先名の一覧や特定の宛先名に対する連絡先が自動的にＭＦＰ２に転送され、ＬＣＤパネル部２６０に表示される。このため、携帯端末１とＭＦＰ２との間で頻繁な視線の移動が発生することがないうえ操作回数も少なくてすみ、使い勝手が良くなる。
【００６８】
また、ＭＦＰ２のＬＣＤパネル部２６０に、宛先名の一覧が表示されているときに、ユーザーによりいずれかの宛先名が選択されると、選択された宛先名に対応する連絡先情報の取得要求がＭＦＰ２から携帯端末１へ送信される。携帯端末１の接続アプリは、この要求に基づいて、連絡帳アプリで管理されている宛先名に対応する連絡先情報を取得し、ＭＦＰ２に送信する。ＭＦＰ２は受信した連絡先情報をＬＣＤパネル部２６０に表示する。このため、使い勝手がさらに良くなる。
【００６９】
このとき、ＭＦＰ２は、既に受信し表示していた宛先名一覧情報を、メモリの一時保存領域へ保持しておく。そして、ＬＣＤパネル部２６０に特定の連絡先が表示されているときに、ユーザーが宛先名一覧の画面に切り替えたい場合は、前記メモリに保持された宛先名一覧情報を呼び出して画面に表示することで、連絡先の表示画面から宛先名一覧の表示画面へと切り替えることができるようになっている。このような構成により、宛先名一覧情報を再度携帯端末１から取得する必要はなくなり、短時間で宛先名一覧の表示画面へ切り替えることができる。
【００７０】
なお、携帯端末１から送信された連絡先情報もメモリの一時保存領域に保存しておくとともに、この保存された連絡先情報を用いて、宛先名一覧の表示画面を連絡先情報の表示画面に切り替えることも可能である。
【００７１】
図９は、接続アプリから連絡帳アプリの起動を行い、宛先情報の取得を行う際の手順を説明するための図である。
【００７２】
まず、接続アプリ３００の起動後に表示される画面Ｄ２において、連絡帳アプリ連携ボタン１５３が押下されると、接続アプリは「宛先情報表示」というインテントと「宛先情報取得」というインテントを作成し、ＯＳ１０５に渡す。
【００７３】
「宛先情報表示」インテントを受け取ったＯＳ１０５は、宛先情報を表示可能な連絡帳アプリ４００(複数ある場合はユーザーに選択させる)に、「宛先情報表示」インテントを渡す。
【００７４】
連絡帳アプリ４００はＯＳ１０５からインテントを受け取った後に起動し、自身が管理する宛先情報をＯＳ１０５から取得して表示する。「宛先情報取得」インテントを受け取ったＯＳ１０５は、宛先情報が格納されているメモリ領域から宛先情報を取り出し、接続アプリ１０５に渡す。
【００７５】
図１０は、接続アプリ３００がＯＳ１０５から宛先情報を取得する際の手順を、より詳しく説明するための図である。
【００７６】
接続アプリ３００は、ＯＳ１０５から宛先情報を取得するための「宛先情報取得」インテントを発行する。連絡帳アプリ４００は、ＯＳから宛先情報を取得して、宛先名一覧の画面Ｄ５を表示し、あるいは特定の連絡先の画面Ｄ６を表示部１５に表示している。
【００７７】
「宛先情報取得」インテントを受け取ったＯＳ１０５は、ＯＳ１０５が管理するメモリ５００内に格納された宛先情報であって、連絡帳アプリ４００により表示されている宛先情報と同じ宛先情報を取り出す。さらに、ＯＳ１０５は取り出した宛先情報をインテント発行元の接続アプリ３００ヘ送信する。これにより、接続アプリ３００はＯＳ１０５から宛先情報を取得する。すなわち、接続アプリ３００は、連絡帳アプリ４００が使用している宛先情報と同じ宛先情報をＯＳ１０５に取得要求し、宛先情報を取得する。
【００７８】
図１１は、接続アプリ３００が宛先情報を取得する際の別の手順を説明するための図である。この例では、ＯＳ１０５が管理する第１メモリ５０１の他に、連絡帳アプリ４００が管理する専用のローカルメモリである第２メモリ５０２が設けられており、宛先情報は第２メモリ５０２内に格納されている。
【００７９】
まず、接続アプリ３００は、ＯＳ１０５から宛先情報を取得するための「宛先情報取得」インテントを発行する。連絡帳アプリ４００は、第２メモリ５０２内の宛先情報を取得して、宛先名一覧の画面Ｄ５を表示し、あるいは特定の連絡先の画面Ｄ６を表示部１５に表示している。
【００８０】
「宛先情報取得」インテントを受け取ったＯＳ１０５は、連絡帳アプリ４００がローカルで管理している第２メモリ５０２から、連絡帳アプリ４００により表示されている宛先情報と同じ宛先情報を取得し、接続アプリ３００に送信する。これにより、接続アプリ３００は、ＯＳ１０５から宛先情報を取得する。
【００８１】
図１２は、携帯端末１の動作を示すフローチャートである。この動作は、携帯端末１のＣＰＵ１１が接続アプリ３００及びＯＳ１０５に基づいて動作することにより実行される。
【００８２】
ユーザーが接続アプリを起動すると、ステップＳ０１でＭＦＰ２と接続し、ステップＳ０２で、連絡帳アプリ４００をインテント連携により起動する。
【００８３】
次いで、ステップＳ０３で、表示部１５に特定の連絡先を表示しているかどうかを判断し、連絡先を表示していれば（ステップＳ０３でＹＥＳ）、ステップＳ０４で、表示されている連絡先情報を取得したのち、ステップＳ０６に進む。連絡先を表示していない場合、換言すれば宛先名の一覧がリスト形式で表示されている場合は（ステップＳ０３でＮＯ）、ステップＳ０５で、宛先名の一覧情報を取得したのち、ステップＳ０６に進む。
【００８４】
ステップＳ０６では、取得した宛先情報である連絡先情報または宛先名の一覧情報を、パケット通信にてＭＦＰへ送信する。
【００８５】
図１３はＭＦＰ２の動作を示すフローチャートである。
【００８６】
ステップＳ１１では、携帯端末１から送信された宛先情報を受信する。次いでステップＳ１２では、受信した宛先情報が特定の連絡先情報か否かを判断する。特定の連絡先情報であれば（ステップＳ１２でＹＥＳ）、ステップＳ１３で、その連絡先情報をＬＣＤパネル部２６０で表示可能な形式に変換した後、ステップＳ１４で、変換した連絡先情報をＬＣＤパネル部２６０に表示する。
【００８７】
ステップＳ１２で、受信した宛先情報が特定の連絡先情報でない場合、換言すれば宛先名の一覧情報である場合は（ステップＳ１２でＮＯ）、ステップＳ１５で、宛先名の一覧情報をＬＣＤパネル部２６０で表示可能な形式に変換した後、ステップＳ１６で、変換した宛先名の一覧をリスト形式でＬＣＤパネル部２６０に表示する。
【００８８】
図１４は、ＭＦＰ２のＬＣＤパネル部２６０に、宛先名の一覧が表示されている状態で、ユーザーがいずれかの宛先名を選択したときのＭＦＰ２及び携帯端末１の動作を示すフローチャートである。なお、図１４のフローチャートの各ステップにおいて、［ＭＦＰ］はＭＦＰ２が行う動作を、［携帯端末］は携帯端末１が行う動作をそれぞれ示している。
【００８９】
ステップＳ２１で、ＭＦＰ２はＬＣＤパネル部２６０に宛先名一覧を表示する。ユーザーがいずれかの宛先名を選択すると、ステップＳ２２でＭＦＰ２はこれを受け付け、ステップＳ２３で、選択された宛先名に対応する連絡先情報の取得要求を携帯端末１に送信する。
【００９０】
携帯端末１は、ステップＳ２４で、ＭＦＰ２からの連絡先情報の取得要求を受信すると、ステップＳ２５で、要求された連絡先情報を取得した後、ステップＳ２６で、ＭＦＰ２へ取得した連絡先情報を送信する。なお、ＭＦＰ２は受信した連絡先情報をＬＣＤパネル部２６０に表示する。
【符号の説明】
【００９１】
１      携帯端末装置
１１    ＣＰＵ
１２    ＲＯＭ
１３    ＲＡＭ
１５    表示部
１７    通信インターフェース
１０５  オペレーティングシステム
２      画像処理装置
２００  ＭＦＰ本体システム制御部
２１０  パネルＣＰＵ
２６０  ＬＣＤパネル部
２９０  接続部
３００  ＭＦＰ端末接続アプリ
４００  連絡帳アプリ
【図１】
2016021614.tif 000003
【図２】
2016021614.tif 000004
【図３】
2016021614.tif 000005
【図４】
2016021614.tif 000006
【図５】
2016021614.tif 000007
【図６】
2016021614.tif 000008
【図７】
2016021614.tif 000009
【図８】
2016021614.tif 000010
【図９】
2016021614.tif 000011
【図１０】
2016021614.tif 000012
【図１１】
2016021614.tif 000013
【図１２】
2016021614.tif 000014
【図１３】
2016021614.tif 000015
【図１４】
2016021614.tif 000016